(57)【要約】      （修正有）【課題】十分な魚の引き寄せ効果を有するハードルアーを提供する。【解決手段】ベイトを模倣したボディ２を備えたハードルアー１であり、ハードルアー１は、ボディ２が、その前後方向の中間部を高位とし、前後両端部を低位とする山形状ないし円弧状に形成され、ボディ２の前後両端部にウエイト６１、６２が設けられ、ボディ２の中間部における背面側にラインアイ３が設けられている。【選択図】図１
0003230287.tif 000002
【実用新案登録請求の範囲】
【請求項１】
ベイトを模倣したボディを備えたハードルアーであって、
前記ボディが、その前後方向の中間部を高位とし、前後両端部を低位とする山形状ないし円弧状に形成され、
前記ボディの前後両端部にウエイトが設けられ、
前記ボディの中間部における背面側にラインアイが設けられていることを特徴とするハードルアー。
【請求項２】
前記ボディの前部および後部における腹面側にフックアイが設けられている請求項１に記載のハードルアー。
【考案の詳細な説明】
【技術分野】
【０００１】
この考案は、ルアーフィッシングに使用されるハードルアーに関する。
【背景技術】
【０００２】
バス釣り等をルアーフィッシングで行う場合、ルアーとして、ボディが小魚（ベイト）に似たデザインのハードルアーを用いることがある（特許文献１，２参照）。例えばフロートタイプのハードルアーでは、ロッド操作によって水面付近で適度に揺動させて波紋等を立てることにより、ルアーを弱ったベイトが水面でもがいているように操って、フィッシュイーターを引き付けて良好な釣魚効果を得るようにしている。
【先行技術文献】
【特許文献】
【０００３】
【特許文献１】特開２０１９−１７６７７２号
【特許文献２】実用新案登録第３０８２３９５号
【考案の開示】
【考案が解決しようとする課題】
【０００４】
しかしながら、フロートタイプのルアーは、水面付近で操作するため、水中と比べてバランスが乱れやすく時折、意に反した不本意な姿勢となり、ロッド操作によって巧みにコントロールすることが困難になってしまう。このためルアーがベイトとは違う不自然な挙動をとってしまう場合があり、フィッシュイーターを十分に引き寄せることができず、良好な釣魚効果を得ることができないという課題があった。
【０００５】
この考案は、上記の課題に鑑みてなされたものであり、フィッシュイーターを十分に引き寄せることができ、良好な釣魚効果を得ることができるハードルアーを提供することを目的とする。
【課題を解決するための手段】
【０００６】
上記目的を達成するため、本考案は以下の構成を要旨とするものである。
【０００７】
［１］ベイトを模倣したボディを備えたハードルアーであって、
前記ボディが、その前後方向の中間部を高位とし、前後両端部を低位とする山形状ないし円弧状に形成され、
前記ボディの前後両端部にウエイトが設けられ、
前記ボディの中間部における背面側にラインアイが設けられていることを特徴とするハードルアー。
【０００８】
［２］前記ボディの前部および後部における腹面側にフックアイが設けられている前項１に記載のハードルアー。
【考案の効果】
【０００９】
考案［１］のハードルアーによれば、ボディが前後方向中間部を高位とし、前後両端部を低位とする山形状ないし円弧状に形成され、ラインアイがボディにおける中間高位部の背面側に設けられるとともに、ボディの前後両端の低位部にウエイトが設けられているため、重心位置が、支点としてのラインアイの下方位置に配置され、バランスが乱れてボディが前後方向に傾いたとしても、その傾きを修復する方向に自動的に回転する、いわゆるヤジロベーのようにバランスを保つ性能を備えている。従って本考案のハードルアーは、フィッシング時に所望の好適な姿勢を維持できるため、ロッド操作時に、本物のベイトのように自然な挙動をとり、フィッシュイーターを確実に引き寄せることができて良好な釣魚効果を得ることができる。
【００１０】
考案［２］のハードルアーによれば、ラインが取り付けられるラインアイが背面側中間に位置するのに対し、フックが取り付けられるフックアイが、腹面側の前後に位置しているため、フックとラインとが互いの干渉を回避できる位置関係に配置され、キャスティング時等に、ラインがフックに絡み付くような不具合を防止でき、キャスティングを思い通りにスムーズに行うことができる。
【図面の簡単な説明】
【００１１】
【図１】図１はこの考案の実施形態であるハードルアーを示す側面図である。
【考案を実施するための形態】
【００１２】
図１はこの考案の実施形態であるハードルアー１を示す側面図である。なお本実施形態においては、考案の理解を容易にするために、同図の紙面に向かって左右方向を「前後方向（体長方向）」とし、同図の上下方向を「上下方向（体高方向」として説明する。従って本実施形態においては、同図の上方側が「背面側（背側）」であり、下方側が「腹面側（腹側）」となる。
【００１３】
図１に示すように本実施形態のハードルアー１は、硬質合成樹脂によって構成されたボディ（魚体）２を備えている。ボディ２は、フィッシュベイトとしての小魚を模倣した外観（デザイン）を有しており、前端から後端にかけて中間部が高位（頂部）とし、前後両端部が低位（山麓部）とする山形状ないし円弧状に形成されている。ボディ２は、前後方向に沿って全域（全体）が山形状ないし円弧状に形成されており、つまり背面側および腹面側が共に山形状ないし円弧状に形成されている。換言すると、ボディ２の背面側全域が円弧状の外周縁部として構成されるとともに、腹面側全域が円弧状の内周縁部として構成されている。
【００１４】
ボディ２は、以下に説明するようにアイ３，４１，４２，５を取り付けるための金具や、ウエイト６１，６２を収容固定できるように内部の所要部分が中空状に形成されている。
【００１５】
すなわちボディ２の背面側における頂上部（最高位部）には、ラインを装着するためのラインアイ３が取り付けられている。このラインアイ３は、ボディ２の背面側における前後方向の中間部に位置している。
【００１６】
ボディ２における腹面側の前部には、前側フックアイ４１が取り付けられるとともに、ボディ２における尾柄部（尾びれの付け根部）における腹面側には、後側フックアイ４２が取り付けられている。さらに前後のフックアイ４１，４２には、それぞれフック４が取り付けられている。
【００１７】
なおボディ２の下あご部には、吊持用アイ５が取り付けられている。本実施形態においてこの吊持用アイ５は、ハードルアー１を製作するに際して、塗装処理等の製作作業を行う場合に、完成前のハードルアーを吊持するためのものであり、ルアーフィッシングを行う際に特に使用するものではない。もっとも本発明においては、実際にルアーフィッシングを行う際に、吊持用アイ５にフック等の付属部品を取り付けておいても良いし、ハードルアー１を展示や保管する際に吊持用アイ５を利用して吊り下げるようにしても良い。
【００１８】
またボディ２の前端部には、金属製の前側ウエイト（錘体）６１が装着されるとともに、後端部には、金属製の後側ウエイト（錘体）６２が装着されている。
【００１９】
ここで本実施形態のハードルアー１においては、ボディ２の前後方向中間に設けられたラインアイ３にラインが接続されるため、フィッシング時にはラインアイ３の位置が支点となり、その支点を中心に前後方向等に回転（揺動）することになる。さらに本実施形態のハードルアー１は、揺動支点としてのラインアイ３の位置を境にして、前後の重量バランスが図られるように、前後のウエイト６１，６２の重量や位置が設定されている。またラインアイ３はボディ２における前後方向中間の最高位部に設けられるとともに、ボディ２の前後両端部における低位部にウエイト６１，６２が装着されている。このため、ハードルアー１の重心位置は、支点としてのラインアイ３の下方位置に、詳細には支点としてのラインアイ３を通る垂直線上におけるラインアイ３よりも下方位置に配置されるため、仮にハードルアー１が前後方向に傾いた場合、その傾きを修復する方向に自動的に回転する、いわゆるヤジロベーのようにバランスを保つ作用を発揮する。従って本実施形態のハードルアー１は、外的要因等によりバランスが乱れて、前後に傾倒したとしても、その傾倒を打ち消すように回転し、所望の良好な姿勢に自動的に復帰するようになっている。
【００２０】
以上のように本実施形態のハードルアー１においては、前後方向中間の最高位部にラインアイ３が設けられるとともに、前後両端部の低位部にウエイト６１，６２が装着されているため、既述した通りバランスを保持する性能に優れ、フィッシング時に所望の好適な姿勢に維持される。このため本実施形態のハードルアー１は、ロッド操作時に、バランスの乱れにより不自然な挙動をとることがなく、本物のベイトのように自然な挙動をとり、フィッシュイーターを確実に引き寄せることができて良好な釣魚効果を得ることができる。
【００２１】
また本実施形態のハードルアー１は、ラインが取り付けられるラインアイ３が背面側中央に位置するのに対し、フック４が取り付けられるフックアイ４１，４２が、腹面側の前後に位置しているため、ラインとフック４とが互いの干渉を回避できる位置関係に配置され、キャスティング時等に、ラインがフック４に絡み付くような不具合を防止することができる。従ってキャスティングを思い通りにスムーズに行うことができ、ハードルアー１を狙った場所に確実に落とし込むことができ、より一層釣魚効果を向上させることができる。
【００２２】
なお上記実施形態において、フックアイ４１，４２はボディ２の腹面側の前後２箇所に取り付けるようにしているが、それだけに限られず、本考案において、フックアイの取付位置や取付数は特に限定されるものではない。例えば本考案においては、フックアイを１個または３個以上設けるようにしても良い。
【産業上の利用可能性】
【００２３】
この考案のハードルアーは、フロータイプのルアーフィッシングに好適に用いることができる。
【符号の説明】
【００２４】
１：ハードルアー
２：ボディ
３：ラインアイ
４１：前側フックアイ
４２：後側フックアイ
６１：前側ウエイト
６２：後側ウエイト
【図１】
0003230287.tif 000003